(57)【要約】【課題】より優れた効率で蓄電することのできる発電システムを提供すること。【解決手段】発電システム１に、温度が経時的に上下する熱源２と、熱源２の温度変化により電気分極する第１デバイス３と、第１デバイス３から電力を取り出すための第２デバイス４とを備える。このような発電システム１によれば、温度が経時的に上下する熱源２を用いるため、変動する電圧を取り出すことができ、その結果、一定電圧として取り出す場合に比べて、簡易な構成により、優れた効率で昇圧して、蓄電することができる。【選択図】図１
2011250675.tif 000002
【特許請求の範囲】
【請求項１】
温度が経時的に上下する熱源と、
前記熱源の温度変化により電気分極する第１デバイスと、
前記第１デバイスから電力を取り出すための第２デバイスと
を備えることを特徴とする、発電システム。
【請求項２】
前記熱源が、周期的に温度変化することを特徴とする、請求項１に記載の発電システム。
【請求項３】
前記第２デバイスが、電力を、周期的に変動する波形として取り出すことを特徴とする、請求項１または２に記載の発電システム。
【請求項４】
前記熱源が、内燃機関であることを特徴とする、請求項１〜３のいずれか一項に記載の発電システム。
【請求項５】
前記第１デバイスが、ピエゾ効果により電気分極することを特徴とする請求項１〜４のいずれか一項に記載の発電システム。
【請求項６】
前記第１デバイスが、焦電効果により電気分極することを特徴とする請求項１〜４のいずれか一項に記載の発電システム。
【請求項７】
前記第１デバイスが、ゼーベック効果により電気分極することを特徴とする請求項１〜４のいずれか一項に記載の発電システム。
【請求項８】
前記熱源は、複数備えられ、
複数の前記熱源間の切り替えにより、温度変化を生じることを特徴とする、請求項１〜７のいずれか一項に記載の発電システム。
【発明の詳細な説明】
【技術分野】
【０００１】
本発明は、発電システムに関する。
【背景技術】
【０００２】
従来、自動車エンジンなどの内燃機関や、ボイラー、空調設備などの熱交換器、発電機、モータなどの電動機関、照明などの発光装置などの各種エネルギー利用装置では、例えば、排熱、光などとして、多くの熱エネルギーが放出および損失されている。
【０００３】
近年、省エネルギー化の観点から、放出される熱エネルギーを回収し、エネルギー源として再利用することが要求されており、このような方法として、例えば、自動車の排気ガスシステムにおいて、排ガス浄化触媒およびマフラーの間に排気ガス熱交換器を設け、その排気ガス熱交換器において、排気管中の排気ガスを均質化するとともに、排気管および冷却器の間にＢｉ２Ｔｅ３からなる熱電素子（サーモエレクトリックモジュール）を配置してなるサーモエレクトリックジェネレーター（ＴＥＧ）が、提案されている（例えば、非特許文献１参照。）。
【０００４】
このサーモエレクトリックジェネレータでは、排気ガスにより温められた排気管と、冷却器との間に熱電素子を配置し、その一方面および他方面に温度差を生じさせて、熱電素子のゼーベック効果により、発電している。このようにして得られた電力は、通常、昇圧型ＤＣ−ＤＣコンバータなどを介して車載バッテリーなどに蓄電され、必要に応じて、適宜使用される。
【先行技術文献】
【非特許文献】
【０００５】
【非特許文献１】ＭＴＺ  Ｍｏｔｏｒｔｅｃｈｎｉｓｃｈｅ  Ｚｅｉｔｓｃｈｒｉｆｔ  ０４１２００９  Ｖｏｌｕｍｅ７０（出版社  ｖｉｅｗｅｇ）
【発明の概要】
【発明が解決しようとする課題】
【０００６】
しかしながら、非特許文献１に記載されるサーモエレクトリックジェネレータでは、排ガス浄化触媒およびマフラーの間において均質化された排気ガス、つまり、一定温度の排気ガスを用いて、発電している。このような方法により得られる電力は、電圧が小さく、また、一定（直流電圧）であるため、簡易な構成で効率良く昇圧することができず、蓄電効率に劣るという不具合がある。
【０００７】
本発明の目的は、より優れた効率で蓄電することのできる発電システムを提供することにある。
【課題を解決するための手段】
【０００８】
上記目的を達成するため、本発明の発電システムは、温度が経時的に上下する熱源と、前記熱源の温度変化により電気分極する第１デバイスと、前記第１デバイスから電力を取り出すための第２デバイスとを備えることを特徴としている。
【０００９】
また、本発明の発電システムでは、前記熱源が、周期的に温度変化することが好適である。
【００１０】
また、本発明の発電システムでは、前記第２デバイスが、電力を、周期的に変動する波形として取り出すことが好適である。
【００１１】
また、本発明の発電システムでは、前記熱源が、内燃機関であることが好適である。
【００１２】
また、本発明の発電システムでは、前記第１デバイスが、ピエゾ効果により電気分極することが好適である。
【００１３】
また、本発明の発電システムでは、前記第１デバイスが、焦電効果により電気分極することが好適である。
【００１４】
また、本発明の発電システムでは、前記第１デバイスが、ゼーベック効果により電気分極することが好適である。
【００１５】
また、本発明の発電システムでは、前記熱源は、複数備えられ、複数の前記熱源間の切り替えにより、温度変化を生じることが好適である。
【発明の効果】
【００１６】
本発明の発電システムによれば、温度が経時的に上下する熱源を用いるため、変動する電圧を取り出すことができ、その結果、一定電圧として取り出す場合に比べて、簡易な構成により、優れた効率で昇圧して、蓄電することができる。
【図面の簡単な説明】
【００１７】
【図１】図１は、本発明の発電システムの一実施形態を示す概略構成図である。
【図２】図２は、図１に示す第１デバイスの一実施形態を示す概略構成図である。
【図３】図３は、図１に示す第１デバイスの他の実施形態を示す概略構成図である。
【図４】図４は、本発明の発電システムが車載された一実施形態を示す概略構成図である。
【図５】図５は、図４に示す発電システムの要部拡大図である。
【図６】図６は、実施例１において用いられた発電システムの概略構成図である。
【図７】図７は、実施例１において得られた発電電圧と温度変化との関係を示すグラフである。
【図８】図８は、実施例２において用いられた発電システムの概略構成図である。
【図９】図９は、実施例２において得られた発電電圧と断続光の照射周期（チョッピング周波数：０．１２Ｈｚ）との関係を示すグラフである。
【図１０】図１０は、実施例２において得られた発電電圧と断続光の照射周期（チョッピング周波数：０．１３Ｈｚ）との関係を示すグラフである。
【図１１】図１１は、実施例２において得られた発電電圧と断続光の照射周期（チョッピング周波数：０．３８Ｈｚ）との関係を示すグラフである。
【図１２】図１２は、実施例２において得られた発電電圧と断続光の照射周期（チョッピング周波数：０．５６Ｈｚ）との関係を示すグラフである。
【図１３】図１３は、実施例２において得られた発電電圧と断続光の照射周期（チョッピング周波数：０．８０Ｈｚ）との関係を示すグラフである。
【図１４】図１４は、実施例２において得られた発電電圧と断続光の照射周期（チョッピング周波数：１．０６Ｈｚ）との関係を示すグラフである。
【図１５】図１５は、実施例３において得られた発電電圧と熱風の照射周期との関係を示すグラフである。
【図１６】図１６は、図１５において、加熱／放冷＝１０ｓ／２０ｓである範囲を拡大して示す。
【図１７】図１７は、図１５において、加熱／放冷＝５ｓ／１５ｓである範囲を拡大して示す。
【図１８】図１８は、実施例４において得られた発電電圧と熱風の照射周期（加熱／放冷＝２５０ｓ／２５０ｓ）との関係を示すグラフである。
【図１９】図１９は、実施例４において得られた発電電圧と熱風の照射周期（加熱／放冷＝１００ｓ／１００ｓ）との関係を示すグラフである。
【図２０】図２０は、実施例４において得られた発電電圧と熱風の照射周期（加熱／放冷＝１０ｓ／１５ｓ）との関係を示すグラフである。
【発明を実施するための形態】
【００１８】
図１は、本発明の発電システムの一実施形態を示す概略構成図である。
【００１９】
図１において、発電システム１は、温度が経時的に上下する熱源２と、熱源２の温度変化により電気分極する第１デバイス３と、第１デバイス３から電力を取り出すための第２デバイス４とを備えている。
【００２０】
熱源２としては、温度が経時的に上下する熱源であれば、特に制限されないが、例えば、内燃機関、発光装置などの各種エネルギー利用装置が挙げられる。
【００２１】
内燃機関は、例えば、車両などの動力を出力する装置であって、例えば、単気筒型または多気筒型が採用されるとともに、その各気筒において、多サイクル方式（例えば、２サイクル方式、４サイクル方式、６サイクル方式など）が採用される。
【００２２】
このような内燃機関では、各気筒において、ピストンの昇降運動が繰り返されており、これにより、例えば、４サイクル方式では、吸気工程、圧縮工程、爆発工程、排気工程などが順次実施され、燃料が燃焼され、動力が出力されている。
【００２３】
このような内燃機関において、排気工程では、高温の排気ガスが、排気ガス管を介して排気される。このとき、排気ガス管は、排気ガスの熱エネルギーを授受し、温度上昇する。
【００２４】
一方、その他の工程（排気工程を除く工程）では、排気ガス管中の排気ガス量が低減されるため、排気ガス管の授受する熱エネルギーが低減され、その結果、排気ガス管の温度が低下する。
【００２５】
このように、内燃機関の温度は、排気工程において上昇し、吸気工程、圧縮工程および爆発工程において下降し、つまり、経時的に上下する。
【００２６】
とりわけ、上記の各工程は、ピストンサイクルに応じて、周期的に順次繰り返されるため、内燃機関における各気筒の排気ガス管は、上記の各工程の繰り返しの周期に伴って、周期的に温度変化、より具体的には、高温状態と低温状態とが、周期的に繰り返される。
【００２７】
発光装置は、点灯（発光）時には、例えば、赤外線、可視光などの光の熱エネルギーにより温度上昇し、一方、消灯時には温度低下する。そのため、発光装置は、経時的に、点灯（発光）および消灯することにより、その温度が経時的に上下する。
【００２８】
とりわけ、例えば、発光装置が、経時的に照明の点灯および消灯が断続的に繰り返される発光装置（明滅（点滅）式の発光装置）である場合には、その発光装置は、点灯（発光）時における光の熱エネルギーにより、周期的に温度変化、より具体的には、高温状態と低温状態とが、周期的に繰り返される。
【００２９】
また、熱源２としては、さらに、例えば、複数の熱源を備え、それら複数の熱源間の切り替えにより、温度変化を生じることもできる。
【００３０】
より具体的には、例えば、熱源として、低温熱源（冷却材など）と、その低温熱源より温度の高い高温熱源（例えば、加熱材など）との２つの熱源を用意し、経時的に、それら低温熱源および高温熱源を、交互に切り替えて用いる形態が挙げられる。
【００３１】
これにより、熱源としての温度を、経時的に上下させることができ、とりわけ、低温熱源および高温熱源の切り替えを、周期的に繰り返すことにより、周期的に温度変化させることができる。
【００３２】
切り替え可能な複数の熱源を備える熱源２としては、特に制限されないが、例えば、燃焼用低温空気供給系、蓄熱式熱交換器、高温ガス排気系、および、供給／排気切替弁を備えた高温空気燃焼炉（例えば、再公表９６−５４７４号公報に記載される高温気体発生装置）、例えば、高温熱源、低温熱源および水素吸蔵合金を用いた海水交換装置（水素吸蔵合金アクチュエータ式海水交換装置）などが挙げられる。
【００３３】
これら熱源２としては、上記熱源を単独使用または２種類以上併用することができる。
【００３４】
熱源２として、好ましくは、経時により周期的に温度変化する熱源が挙げられる。
【００３５】
また、熱源２として、好ましくは、内燃機関が挙げられる。
【００３６】
第１デバイス３は、熱源２の温度変化に応じて電気分極するデバイスである。
【００３７】
ここでいう電気分極とは、結晶の歪みにともなう正負イオンの変位により誘電分極し電位差が生じる現象、例えばピエゾ効果、および／または、温度変化により誘電率が変化し電位差が生じる現象、例えば焦電効果、および／または、温度変化や温度勾配などにより電荷に偏りが発生し電位差が生まれる現象、例えばゼーベック効果などのように、材料の両端に温度差が生じると起電力が発生する現象と定義する。
【００３８】
このような第１デバイス３として、より具体的には、例えば、焦電効果により電気分極するデバイス、ゼーベック効果により電気分極するデバイス、ピエゾ効果により電気分極するデバイスなどが挙げられる。
【００３９】
焦電効果は、例えば、絶縁体（誘電体）などを加熱および冷却する時に、その温度変化に応じて絶縁体が電気分極する効果（現象）であって、第１効果および第２効果を含んでいる。
【００４０】
第１効果は、絶縁体の加熱時および冷却時において、その温度変化により自発分極し、絶縁体の表面に、電荷を生じる効果とされている。
【００４１】
また、第２効果は、絶縁体の加熱時および冷却時において、その温度変化により結晶構造に圧力変形を生じ、結晶構造に加えられる応力または歪みにより、圧電分極を生じる効果（ピエゾ効果、圧電効果）とされている。
【００４２】
このような焦電効果により電気分極するデバイスとしては、特に制限されず、公知の焦電素子を用いることができる。
【００４３】
第１デバイス３として焦電素子が用いられる場合には、焦電素子は、例えば、熱源２に対して、近接、または、後述する電極を介して接触するように、配置される。
【００４４】
このような場合において、焦電素子は、熱源２の経時的な温度変化により、加熱または冷却され、その焦電効果（第１効果および第２効果を含む）により、電気分極する。これにより、詳しくは後述するが、第２デバイス４を介して、焦電素子から電力が取り出される。
【００４５】
また、このような焦電素子は、通常、加熱状態または冷却状態が維持され、その温度が一定になると、電気分極が中和され、その後、冷却または加熱されることにより、再度、電気分極する。
【００４６】
そのため、上記したように熱源２が周期的に温度変化し、高温状態と低温状態とが周期的に繰り返される場合などには、焦電素子が周期的に繰り返し加熱および冷却されるため、焦電素子の電気分極およびその中和が、周期的に繰り返される。
【００４７】
その結果、後述する第２デバイス４により、電力が、周期的に変動する波形（例えば、交流、脈流など）として取り出される。
【００４８】
ゼーベック効果は、例えば、金属または半導体の両端に温度差を生じさせると、その温度差に応じて、金属または半導体に起電力が生じる効果（現象）である。
【００４９】
このようなゼーベック効果により電気分極するデバイスとしては、特に制限されず、公知の熱電変換素子を用いることができる。
【００５０】
第１デバイス３として熱電変換素子が用いられる場合には、熱電変換素子は、例えば、その一方側端部が、熱源２に対して、近接、または、後述する電極を介して接触するとともに、他方側端部が熱源２から離間するように配置される。
【００５１】
このような場合において、熱電変換素子は、その一方側端部のみが、熱源２の経時的な温度変化により、加熱または冷却され、その熱電変換素子の両端（一方側端部および他方側端部の間）に、温度差が生じる。このとき、ゼーベック効果により、熱電変換素子に起電力が生じる。これにより、詳しくは後述するが、第２デバイス４を介して、熱電変換素子から電力が取り出される。
【００５２】
また、このような熱電変換素子は、その両端における温度差が大きい場合には、起電力が高くなり、高電力を取り出すことができ、一方、温度差が小さい場合には、起電力が小さくなり、取り出される電力が低下する。
【００５３】
そのため、上記したように熱源２が周期的に温度変化し、高温状態と低温状態とが周期的に繰り返される場合などには、熱電変換素子の一方側端部の温度が、周期的に繰り返し上下するため、それに応じて、起電力の大きさの度合いが、周期的に上下する。
【００５４】
その結果、後述する第２デバイス４により、電力が、周期的に変動する波形（例えば、交流、脈流など）として取り出される。
【００５５】
ピエゾ効果は、応力または歪みが加えられたときに、その応力または歪みの大きさに応じて電気分極する効果（現象）である。
【００５６】
このようなピエゾ効果により電気分極する第１デバイス３としては、特に制限されず、例えば、薄膜型、バルク型などの、公知のピエゾ素子（圧電素子）を用いることができる。
【００５７】
第１デバイス３としてピエゾ素子が用いられる場合には、ピエゾ素子は、例えば、その周囲が固定部材により固定され、体積膨張が抑制された状態において、熱源２に対して、近接、または、後述する電極を介して接触するように、配置される。固定部材としては、特に制限されず、例えば、後述する第２デバイス４（例えば、電極など）を用いることもできる。
【００５８】
そして、このような場合には、ピエゾ素子は、熱源２の経時的な温度変化により、加熱または冷却され、これにより、膨張または収縮する。
【００５９】
このとき、ピエゾ素子は、固定部材により体積膨張が抑制されているため、ピエゾ素子は、固定部材に押圧され、ピエゾ効果（圧電効果）により、電気分極する。これにより、詳しくは後述するが、第２デバイス４を介して、熱電変換素子から電力が取り出される。
【００６０】
また、このようなピエゾ素子は、通常、加熱状態または冷却状態が維持され、その温度が一定（すなわち、体積一定）になると、電気分極が中和され、その後、冷却または加熱されることにより、再度、電気分極する。
【００６１】
そのため、上記したように熱源２が周期的に温度変化し、高温状態と低温状態とが周期的に繰り返される場合などには、ピエゾ素子が周期的に繰り返し加熱および冷却されるため、ピエゾ素子の電気分極およびその中和が、周期的に繰り返される。
【００６２】
その結果、後述する第２デバイス４により、電力が、周期的に変動する波形（例えば、交流、脈流など）として取り出される。
【００６３】
これら第１デバイス３は、単独使用または２種類以上併用することができる。
【００６４】
図２は、図１に示す第１デバイスの一実施形態を示す概略構成図である。
【００６５】
上記の第１デバイス３は、図２に示すように、例えば、積層配置して用いることもできる。
【００６６】
このような場合には、複数の第１デバイス３（好ましくは、焦電素子）の間に、後述する第２デバイス４（例えば、電極、導線など）を介在させ、これにより、各第１デバイス３を、電気分極時において電気的に直列となるように接続する。
【００６７】
そして、このようにして得られる第１デバイス３の積層体を、図１に示すように、熱源２に接触または近接するように配置し、積層される各第１デバイス３を、同時に加熱または冷却する。
【００６８】
これにより、複数の第１デバイス３を同時に電気分極させ、それらを電気的に直列接続することができ、その結果、第１デバイス３を単独で（単層として）用いる場合に比べ、大きな電力を取り出すことができる。
【００６９】
図３は、図１に示す第１デバイスの他の実施形態を示す概略構成図である。
【００７０】
上記の第１デバイス３は、図３に示すように、例えば、同一面状に整列配置して用いることもできる。
【００７１】
このような場合には、複数の第１デバイス３の間を、後述する第２デバイス４（例えば、電極、導線など）により、電気分極時において電気的に直列となるように接続する。
【００７２】
そして、このようにして整列配置された複数の第１デバイス３を、図１に示すように、熱源２に接触または近接するように配置し、整列配置される各第１デバイス３を、同時に加熱または冷却する。
【００７３】
これにより、複数の第１デバイス３を同時に電気分極させ、それらを電気的に直列接続することができ、その結果、第１デバイス３を単独で用いる場合に比べ、大きな電力を取り出すことができる。
【００７４】
なお、このとき、例えば、第１デバイス３が焦電素子である場合や、ｐ型半導体からなる熱電変換素子、または、ｎ型半導体からなる熱電変換素子のみを使用する場合などには、各第１デバイス３は、熱源２に接触または近接する一方側が、いずれも正極または負極となり、熱源２から離間する他方側が、いずれも負極または正極となるように電気分極する（図３（ａ）参照）。
【００７５】
そのため、このような場合には、第１デバイス３の熱源２に接触または近接する側と、他の第１デバイス３の熱源２から離間する側とが、電気的に接続される。
【００７６】
一方、例えば、第１デバイス３として、ｐ型半導体からなる熱電変換素子、および、ｎ型半導体からなる熱電変換素子を用い、それらを交互に配置する場合などには、ｐ型半導体からなる熱電変換素子と、ｎ型半導体からなる熱電変換素子とが逆方向に電気分極するため、各第１デバイス３の熱源２に接触または近接する一方側において、正極および負極が交互に整列配置される。
【００７７】
そのため、このような場合には、第１デバイス３の熱源２に接触または近接する側と、他の第１デバイス３の熱源２に接触または近接する側とが電気的に接続され、また、第１デバイス３の熱源２から離間する側と、他の第１デバイス３の熱源２から離間する側とが、電気的に接続される（図３（ｂ）参照）。
【００７８】
図１において、第２デバイス４は、第１デバイス３から電力を取り出すために設けられる。
【００７９】
このような第２デバイス４は、より具体的には、特に制限されないが、例えば、上記の第１デバイス３を挟んで対向配置される２つの電極（例えば、銅電極、銀電極など）、例えば、それら電極に接続される導線などを備えており、第１デバイス３に電気的に接続されている。
【００８０】
そして、図１に示す発電システム１では、その第２デバイス４が、昇圧器５、交流／直流変換器（ＡＣ−ＤＣコンバーター）６およびバッテリー７に、順次、電気的に接続されている。
【００８１】
このような発電システム１により、発電するには、例えば、まず、熱源２の温度を経時的に上下、好ましくは、周期的に温度変化させ、その温度変化に応じて、上記した第１デバイス３を、好ましくは、周期的に電気分極させる。その後、第２デバイス４を介することにより、電力を、第１デバイス３の周期的な電気分極に応じて周期的に変動する波形（例えば、交流、脈流など）として、取り出す。
【００８２】
このような熱電システム１において、熱源２の温度は、高温状態における温度が、例えば、５００〜１２００℃、好ましくは、７００〜９００℃であり、低温状態における温度が、上記の高温状態における温度未満、より具体的には、例えば、２００〜８００℃、好ましくは、２００〜５００℃であり、高温状態と低温状態との温度差が、例えば、１０〜６００℃、好ましくは、２０〜５００℃である。
【００８３】
また、それら高温状態と低温状態との繰り返し周期は、例えば、１０〜４００サイクル／秒、好ましくは、３０〜１００サイクル／秒である。
【００８４】
そして、このようにして発電システム１により取り出された電力を、第２デバイス４に接続される昇圧器５において、周期的に変動する波形（例えば、交流、脈流など）の状態で昇圧する。昇圧器５としては、交流電圧を、例えば、コイル、コンデンサなどを用いた簡易な構成により、優れた効率で昇圧できる昇圧器が、用いられる。
【００８５】
次いで、昇圧器５において昇圧された電力を、交流／直流変換器６において直流電圧に変換した後、バッテリー７に蓄電する。
【００８６】
このような発電システム１によれば、温度が経時的に上下する熱源２を用いるため、変動する電圧（例えば、交流電圧）を取り出すことができ、その結果、一定電圧（直流電圧）として取り出す場合に比べて、簡易な構成により、優れた効率で昇圧して、蓄電することができる。
【００８７】
また、熱源２が、周期的に温度変化する熱源であれば、電力を、周期的に変動する波形として取り出すことができ、その結果、簡易な構成により、より優れた効率で昇圧して、蓄電することができる。
【００８８】
図４は、本発明の発電システムが車載された一実施形態を示す概略構成図である。
【００８９】
図４において、自動車１０は、内燃機関１１、触媒搭載部１２、エキゾーストパイプ１３、マフラー１４および排出パイプ１５を備えている。
【００９０】
内燃機関１１は、エンジン１６、および、エキゾーストマニホールド１７を備えている。
【００９１】
エンジン１６は、４気筒型４サイクル方式のエンジンであって、各気筒に、エキゾーストマニホールド１７の分岐管１８（後述）の上流側端部が接続されている。
【００９２】
エキゾーストマニホールド１７は、エンジン１６の各気筒から排出される排気ガスを収束するために設けられる排気多岐管であって、エンジン１６の各気筒に接続される複数（４つ）の分岐管１８（これらを区別する必要がある場合には、図４の上側から順に、分岐管１８ａ、分岐管１８ｂ、分岐管１８ｃおよび分岐管１８ｄと称する。）と、それら分岐管１８の下流側において、各分岐管１８を１つに統合する集気管１９とを備えている。
【００９３】
このようなエキゾーストマニホールド１７では、分岐部１８の上流側端部が、それぞれ、エンジン１６の各気筒に接続されるとともに、分岐管１８の下流側端部と集気管１９の上流側端部とが接続されている。また、集気管１９の下流側端部は、触媒搭載部１２の上流側端部に接続されている。
【００９４】
触媒搭載部１２は、例えば、触媒担体およびその担体上にコーティングされる触媒を備えており、内燃機関１１から排出される排気ガスに含まれる炭化水素（ＨＣ）、窒素酸化物（ＮＯｘ）、一酸化炭素（ＣＯ）などの有害成分を浄化するために、内燃機関１１（エキゾーストマニホールド１７）の下流側端部に接続されている。
【００９５】
エキゾーストパイプ１３は、触媒搭載部１２において浄化された排気ガスをマフラー１４に案内するために設けられており、上流側端部が触媒搭載部１２に接続されるとともに、下流側端部がマフラー１４に接続されている。
【００９６】
マフラー１４は、エンジン１６（とりわけ、爆発工程）において生じる騒音を、静音化すために設けられており、その上流側端部がエキゾーストパイプ１３の下流側端部に接続されている。また、マフラー１４の下流側端部は、排出パイプ１５の上流側端部に接続されている。
【００９７】
排出パイプ１５は、エンジン１６から排出され、エキゾーストマニホールド１７、触媒搭載部１２、エキゾーストパイプ１３およびマフラー１４を順次通過し、浄化および静音化された排気ガスを、外気に放出するために設けられており、その上流側端部がマフラー１４の下流側端部に接続されるとともに、その下流側端部が、外気に開放されている。
【００９８】
そして、この自動車１０は、図４において点線で示すように、発電システム１を搭載している。
【００９９】
図５は、図４に示す発電システムの要部拡大図である。
【０１００】
図５において、発電システム１は、上記したように、熱源２、第１デバイス３および第２デバイス４を備えている。
【０１０１】
この発電システム１では、熱源２として、内燃機関１１におけるエキゾーストマニホールド１７の分岐管１８が用いられており、その分岐管１８の周囲に、第１デバイス３が配置されている。
【０１０２】
第１デバイス３としては、上記したように、公知の焦電素子（例えば、ＢａＴｉＯ３、ＣａＴｉＯ３、（ＣａＢｉ）ＴｉＯ３、ＢａＮｄ２Ｔｉ５Ｏ１４、ＢａＳｍ２Ｔｉ４Ｏ１２、チタン酸ジルコン酸鉛（ＰＺＴ：Ｐｂ（Ｚｒ，Ｔｉ）Ｏ３）など）、公知の熱電変換素子（例えば、Ｂｉ−Ｔｅ系熱電変換素子（例えば、Ｂｉ２Ｔｅ３、Ｂｉ２Ｔｅ３／Ｓｂ２Ｔｅ３など））、ＰｂＴｅ、ＡｇＳｂＴｅ２／ＧｅＴｅ、ＮａＣｏ２Ｏ４、ＣａＣｏＯ３、ＳｒＴｉＯ３／ＳｒＴｉＯ３：Ｎｂ、ＳｉＧｅ、β−ＦｅＳｉ２、Ｂａ８Ｓｉ４６、Ｍｇ２Ｓｉ、ＭｎＳｉ１．７３、ＺｎＳｂ、Ｚｎ４Ｓｂ３、ＣｅＦｅ３ＣｏＳｂ１２、ＬａＦｅ３ＣｏＳｂ１２、ＳｒＴｉＯ３／ＳｒＴｉＯ３：Ｎｂ／ＳｒＴｉＯ３、Ｓｉナノワイヤー・アレイ、ＮａＣｏ２Ｏ４、（Ｃｅ１−ｘＬａｘ）Ｎｉ２、（Ｃｅ１−ｘＬａｘ）Ｉｎ３、ＣｅＩｎＣｕ２、ＮａＶ２Ｏ５、Ｖ２Ｏ５など）、公知のピエゾ素子（例えば、水晶（ＳｉＯ２）、酸化亜鉛（ＺｎＯ）、ロッシェル塩（酒石酸カリウム−ナトリウム）（ＫＮａＣ４Ｈ４Ｏ６）、チタン酸ジルコン酸鉛（ＰＺＴ：Ｐｂ（Ｚｒ，Ｔｉ）Ｏ３）、ニオブ酸リチウム（ＬｉＮｂＯ３）、タンタル酸リチウム（ＬｉＴａＯ３）、リチウムテトラボレート（Ｌｉ２Ｂ４Ｏ７）、ランガサイト（Ｌａ３Ｇａ５ＳｉＯ１４）、窒化アルミニウム（ＡｌＮ）、電気石（トルマリン）、ポリフッ化ビニリデン（ＰＶＤＦ）など）などを用いることができる。
【０１０３】
第１デバイス３が、焦電素子および／またはピエゾ素子（絶縁体（誘電体））である場合には、そのキュリー点は、例えば、−７７℃以上、好ましくは、−１０℃以上であり、例えば、１３００℃以下、好ましくは、９００℃以下である。
【０１０４】
また、第１デバイス３（絶縁体（誘電体））の比誘電率は、例えば、１以上、好ましくは、１００以上、より好ましくは、２０００以上である。
【０１０５】
このような発電システム１では、第１デバイス３（絶縁体（誘電体））の比誘電率が高いほど、エネルギー変換効率が高く、高電圧で電力を取り出すことができるが、第１デバイス３の比誘電率が上記下限未満であれば、エネルギー変換効率が低く、得られる電力の電圧が低くなる場合がある。
【０１０６】
なお、第１デバイス３（絶縁体（誘電体））は、熱源２の温度変化によって電気分極するが、その電気分極は、電子分極、イオン分極および配向分極のいずれでもよい。
【０１０７】
例えば、配向分極によって分極が発現する材料（例えば、液晶材料など）では、その分子構造を変化させることにより、発電効率の向上を図ることができるものと期待されている。
【０１０８】
第１デバイス３が、熱電変換素子である場合には、その性能は、例えば、下記式（１）により示される。
【０１０９】
ＺＴ＝Ｓ２σＴ／κ          （１）
（式中、Ｚは、性能指数を示し、Ｔは、絶対温度を示し、Ｓは、ゼーベック係数を示し、σは、電気伝導率を示し、κは、熱伝導率を示す。）
このような第１デバイス３（熱電変換素子）において、そのＺＴ値（無次元性能指数）は、例えば、０．３以上である。
【０１１０】
ＺＴ値（無次元性能指数）が上記下限未満である場合には、エネルギー変換効率が低く、得られる電力の電圧が低くなる場合がある。
【０１１１】
また、通常、熱電変換素子は、材料内部の温度差で発電するため、熱伝導率が低いほど、エネルギー変換効率が高くなるが、この発電システム１では、第１デバイス３（熱電変換素子）両端の温度差が必要なく、そのため、第１デバイス３（熱電変換素子）の熱伝導率は、特に制限されない。
【０１１２】
第２デバイス４は、第１デバイス３を挟んで対向配置される２つの電極、および、それら電極に接続される導線を備えている。なお、第１デバイス３の一方側面に配置される電極および導線は、第１デバイス３と分岐管１８（熱源２）との間に介在するように配置されており、第１デバイス３の他方側面に配置される電極および導線は、分岐管１８（熱源２）に接触することなく、露出されている。
【０１１３】
また、発電システム１は、図４に示すように、昇圧器５、交流／直流変換器６およびバッテリー７に、順次、電気的に接続されている。
【０１１４】
そして、このような自動車１０では、エンジン１６の駆動により、各気筒において、ピストンの昇降運動が繰り返され、吸気工程、圧縮工程、爆発工程および排気工程が順次実施される。
【０１１５】
より具体的には、例えば、分岐管１８ａに接続される気筒、および、分岐管１８ｃに接続される気筒の２つの気筒において、ピストンが連動し、吸気工程、圧縮工程、爆発工程および排気工程が、同位相で実施される。これにより、燃料が燃焼され、動力が出力されるとともに、高温の排気ガスが、分岐管１８ａおよび分岐管１８ｃの内部を排気工程において通過する。
【０１１６】
このとき、分岐管１８ａおよび分岐管１８ｃの温度は、排気工程において上昇し、その他の工程（吸気工程、圧縮工程、爆発工程）において下降するので、ピストンサイクルに応じて、経時的に上下し、高温状態と低温状態とが、周期的に繰り返される。
【０１１７】
一方、それら２つの気筒とはタイミングを異にして、分岐管１８ｂに接続される気筒、および、分岐管１８ｄに接続される気筒の２つの気筒において、ピストンが連動し、吸気工程、圧縮工程、爆発工程および排気工程が、同位相で実施される。これにより、燃料が燃焼され、動力が出力されるとともに、分岐管１８ａおよび分岐管１８ｃとは異なるタイミングにおいて、高温の排気ガスが、分岐管１８ｂおよび分岐管１８ｄの内部を排気工程において通過する。
【０１１８】
このとき、分岐管１８ｂおよび分岐管１８ｄの温度は、排気工程において上昇し、その他の工程（吸気工程、圧縮工程、爆発工程）において下降するので、ピストンサイクルに応じて、経時的に上下し、高温状態と低温状態とが、周期的に繰り返される。
【０１１９】
この周期的な温度変化は、分岐管１８ａおよび分岐管１８ｃの周期的な温度変化とは、周期が同じである一方、位相が異なる。
【０１２０】
そして、この発電システム１では、各分岐管１８（熱源２）に、第１デバイス３が配置されている。
【０１２１】
そのため、各分岐管１８（熱源２）の経時的な温度変化により、第１デバイス３を、周期的に高温状態または低温状態にすることができ、第１デバイス３を、その素子（例えば、焦電素子、熱電変換素子、ピエゾ素子など）に応じた効果（例えば、焦電効果、ゼーベック効果、ピエゾ効果など）により、電気分極させることができる。
【０１２２】
そのため、この発電システム１では、第２デバイス４を介して、各第１デバイス３から電力を周期的に変動する波形（例えば、交流、脈流など）として、取り出すことができる。
【０１２３】
また、この発電システム１では、分岐管１８ａおよび分岐管１８ｃの温度と、分岐管１８ｂおよび分岐管１８ｄの温度とが、同じ周期、かつ、異なる位相で周期的に変化するため、電力を、周期的に変動する波形（例えば、交流、脈流など）として、連続的に取り出すことができる。
【０１２４】
そして、排気ガスは、各分岐管１８を通過した後、集気管１９に供給され、集気された後、触媒搭載部１２に供給され、その触媒搭載部１２に備えられる触媒により浄化される。その後、排気ガスは、エキゾーストパイプ１３に供給され、マフラー１４において静音化された後、排出パイプ１５を介して、外気に排出される。
【０１２５】
このとき、各分岐管１８内を通過する排気ガスは、集気管１９において集気されるので、集気管１９、触媒搭載部１２、エキゾーストパイプ１３、マフラー１４および排出パイプ１５を順次通過する排気ガスは、その温度が、平滑化されている。
【０１２６】
そのため、温度が平滑化されたこのような排気ガスを通過させる集気管１９、触媒搭載部１２、エキゾーストパイプ１３、マフラー１４および排出パイプ１５の温度は、通常、経時的に上下することなく、ほぼ一定である。
【０１２７】
そのため、集気管１９、触媒搭載部１２、エキゾーストパイプ１３、マフラー１４または排出パイプ１５を熱源２として用い、その周囲に、上記した第１デバイス３を、第２デバイス４を介して配置する場合には、第１デバイス３から取り出される電力は、その電圧が小さく、また、一定（直流電圧）である。
【０１２８】
そのため、このような方法では、得られる電力を、簡易な構成で効率良く昇圧することができず、蓄電効率に劣るという不具合がある。
【０１２９】
一方、上記したように、内燃機関１１（分岐管１８）を熱源２として採用する発電システム１では、その熱源２の経時的な温度変化により、第１デバイス３を、周期的に高温状態または低温状態にすることができ、第１デバイス３を、そのデバイス（例えば、焦電素子、熱電変換素子、ピエゾ素子など）に応じた効果（例えば、焦電効果、ゼーベック効果、ピエゾ効果など）により、周期的に電気分極させることができる。
【０１３０】
そのため、この発電システム１では、第２デバイス４を介して、各第１デバイス３から電力を周期的に変動する波形（例えば、交流、脈流など）として、取り出すことができる。
【０１３１】
その後、この方法では、例えば、図４において点線で示すように、上記により得られた電力を、第２デバイス４に接続される昇圧器５において、周期的に変動する波形（例えば、交流、脈流など）の状態で昇圧し、次いで、昇圧された電力を、交流／直流変換器６において直流電圧に変換した後、バッテリー７に蓄電する。バッテリー７に蓄電された電力は、自動車１０や、自動車１０に搭載される各種電気部品の動力などとして、適宜、用いることができる。
【０１３２】
そして、このような発電システム１によれば、温度が経時的に上下する熱源２を用いるため、変動する電圧（例えば、交流電圧）を取り出すことができ、その結果、一定電圧（直流電圧）として取り出す場合に比べて、簡易な構成により、優れた効率で昇圧して、蓄電することができる。
【０１３３】
なお、詳しくは図示しないが、第１デバイス３は、その素子の種類や、必要および用途に応じて、図２に示すように、積層配置して用いることができ、さらには、図３に示すように、同一面状に整列配置して用いることもできる。
【０１３４】
第１デバイス３を、積層配置および／または同一面状に整列配置して用いれば、複数の第１デバイス３を同時に電気分極させるとともに、それらを電気的に直列接続することができ、その結果、第１デバイス３を単独で用いる場合に比べ、大きな電力を取り出すことができる。
【０１３５】
なお、上記した説明では、分岐管１８の周囲（外側壁）に、第１デバイス３を配置したが、温度変化を平均化することなく第１デバイス３に伝達させるため、分岐管１８の内部（例えば、内側壁）に第１デバイス３を配置することが好ましい。
【実施例】
【０１３６】
以下において、本発明を実施例に基づいて説明するが、本発明は下記の実施例によって限定されるものではない。
【０１３７】
実施例１（焦電効果）
図６は、実施例１において用いた発電システムの概略構成図である。
【０１３８】
第１デバイス３として、焦電素子（品番：ＷＧ１９７、チタン酸カルシウム（ＣａＴｉＯ３）（微量のＢｉを含む。）、結晶構造：ペロブスカイト型、比誘電率：１９７、静電容量：０．７５ｎＦ、サイズ：２５ｍｍ×２５ｍｍ×１．３ｍｍ、日本タングステン社製）を用い、その表面および裏面に、銀ペーストを２０ｍｍ×２０ｍｍ×０．１ｍｍの大きさとなるように塗布した。
【０１３９】
その後、昇温速度１０℃／ｍｉｎで０℃から１２０℃まで加熱し、１２０℃において１時間保持した後、引き続き、昇温速度１０℃／ｍｉｎで５００℃まで加熱し、５００℃で１時間保持した。その後、降温速度１０℃／ｍｉｎで常温まで冷却し、これにより、焦電素子の両面に、第２デバイス４ａとしての銀電極を形成した。
【０１４０】
その後、銀電極を備えた焦電素子を、金属製の配管２２上に載置し、銀電極とデジタルマルチメータ２１とを、第２デバイス４ｂとしての導線により接続した。
【０１４１】
熱源２としてドライヤー（噴出エア温度：２５０〜３００℃）を用い、その噴射口を焦電素子に向けるとともに、噴射口が焦電素子から１ｃｍ離間するように、ドライヤーおよび焦電素子を、それぞれ配置した。
【０１４２】
ドライヤーから熱風を噴き出し、経時的にドライヤーのＯＮ／ＯＦＦを切り替えることにより、温度を経時的に上下させ、この温度変化により、焦電素子を電気分極させ、電極および導線を介して、発電電圧（電力）を取り出した。
【０１４３】
ドライヤーによる焦電素子の温度変化を観測するとともに、焦電素子から取り出された電力の電圧変化をデジタルマルチメータ２１により観測した。
【０１４４】
なお、焦電素子の温度変化としては、近似値として、焦電素子が接触する配管の温度を測定した。発電電圧と温度変化との関係を、図７に示す。
【０１４５】
実施例２（ゼーベック効果）
図８は、実施例２において用いた発電システムの概略構成図である。
【０１４６】
第１デバイス３として、熱電変換素子（品番：ＫＳＥＨ０２０３１Ｚ−ＡＢＥ、Ｂｉ−Ｔｅ系サーモ・モジュール、メタライズ：ＣｕＮｉＡｕ、サイズ：８ｍｍ×８ｍｍ×１．５ｍｍ（約０．８ｍｍ×０．８ｍｍ×１ｍｍの熱電材料６２本で構成されている。）、ＫＥＬＫ社製）を用いた。
【０１４７】
熱電変換素子（メタライズ済）の一方側表面に、光を吸収させるために、カーボン（図示せず）を塗布し、２０℃の水冷板２６に他方側端面が接触するように載置するとともに、熱電変換素子に接続される導線と、オシロスコープ２７とを、第２デバイス４としての導線により接続した。
【０１４８】
熱源２として、ソーラーシミュレーター２３（光源：メタルハライドランプ、１０００Ｗ／ｍ２）、集光レンズ２４および回転翼式のチョッパー２５を用い、そのソーラーシミュレーター２３の光を集光レンズ２４にて集光するとともに、チョッパー２５を回転させ、周期的に光を遮ることにより、断続光とした。
【０１４９】
ソーラーシミュレーター２３の光源が、熱電変換素子から６０ｃｍ離間するように、ソーラ−シミュレーター２３および熱電変換素子を、それぞれ配置した。
【０１５０】
他方側表面の温度を水冷板２６により２０℃に保ちながら、チョッパー２５のチョッピング周波数を０．１２Ｈｚとし、その断続光の熱エネルギーにより、熱電変換素子の一方側表面の温度を周期的に変化させた。
【０１５１】
この熱電変換素子の一方側表面の温度変化、および、一方側表面と他方側表面との間における温度差により、熱電変換素子を電気分極させ、導線を介して、電力を取り出した。
【０１５２】
断続光の照射周期を観測するとともに、熱電変換素子から取り出された電力の電圧変化をオシロスコープ２７により観測した。発電電圧と断続光の照射周期との関係を、図９に示す。
【０１５３】
チョッパーのチョッピング周波数を、０．１３Ｈｚ、０．３８Ｈｚ、０．５６Ｈｚ、０．８０Ｈｚおよび１．０６Ｈｚとし、それぞれにおいて、熱電変換素子から取り出された電力の電圧変化をオシロスコープ２７により観測した。発電電圧と断続光の照射周期との関係を、図１０、図１１、図１２、図１３および図１４に、それぞれ示す。
（考察）
実施例１および２からわかるように、このような発電システムによれば、温度が経時的に上下する（周期的に変化する）熱源から、電力を、その変化に応じて変動する波形として取り出すことができる。
【０１５４】
また、実施例２からわかるように、温度変化の周期が長い場合において、最大の発電効率で電力を取り出すことができる。
【０１５５】
実施例３（ピエゾ効果１）
薄膜型のピエゾ素子（構造：Ｐｂ（Ｚｒ，Ｔｉ）Ｏ３、製番：ＶＳＢ５０ＥＷＨ０３０１Ｂ、タイプ：丸型フライングリード、トーンタイプ：外付けドライブ、寸法：直径５０ｍｍ、静電容量：６００ｎＦ［１２０Ｈｚ］、インピーダンス：３００Ω［１ｋＨｚ］、共振周波数：４００  Ｈｚ、振動周波数帯：２５０Ｈｚ〜２０ｋＨｚ、村田製作所製）を、電圧計（入力抵抗：１０ＭΩ）に接続した。
【０１５６】
熱源としてドライヤー（噴出エア温度：５０〜２００℃）を用い、その噴射口を圧電素子に向けるとともに、噴射口が圧電素子から５ｃｍ離間するように、ドライヤーおよび圧電素子を、それぞれ配置した。
【０１５７】
ドライヤーから熱風を噴き出し、経時的にドライヤーのＯＮ／ＯＦＦを切り替えることにより、温度を経時的に上下させ、この温度変化により、圧電素子を電気分極させ、電極および導線を介して、発電電圧（電力）を取り出した。
【０１５８】
なお、ドライヤーによる加熱と放冷とは、まず、加熱／放冷＝１０ｓ／２０ｓ周期で切り替え、その後、加熱／放冷＝５ｓ／１５ｓ周期で切り替えた。
【０１５９】
そして、圧電素子から取り出された電力の電圧変化を電圧計により観測した。
【０１６０】
発電電圧と温度変化との関係を、図１５に示す。
【０１６１】
また、図１５において、加熱／放冷＝１０ｓ／２０ｓである範囲を拡大して図１６に示し、さらに、加熱／放冷＝５ｓ／１５ｓである範囲を拡大して図１７に示す。
【０１６２】
実施例４（ピエゾ効果２）
バルク型のピエゾ素子（構造：ＮｂおよびＳｎ添加ＰＺＴ（Ｎｂ／Ｓｎ／Ｐｂ（Ｚｒ，Ｔｉ）Ｏ３）、製番：Ｈ５Ｃ、住友金属エレクトロデバイス製）を、電圧計（入力抵抗：１０ＭΩ）に接続した。
【０１６３】
熱源としてドライヤー（噴出エア温度：５０〜３００℃）を用い、その噴射口を圧電素子に向けるとともに、噴射口が圧電素子から５ｃｍ離間するように、ドライヤーおよび圧電素子を、それぞれ配置した。
【０１６４】
ドライヤーから熱風を噴き出し、経時的にドライヤーのＯＮ／ＯＦＦを切り替えることにより、温度を経時的に上下させ、この温度変化により、圧電素子を電気分極させ、電極および導線を介して、発電電圧（電力）を取り出した。
【０１６５】
なお、ドライヤーによる加熱と放冷とは、まず、加熱／放冷＝２５０ｓ／２５０ｓ周期で切り替えた。そして、圧電素子から取り出された電力の電圧変化を電圧計により観測した。発電電圧と温度変化との関係を、図１８に示す。
【０１６６】
また、加熱／放冷＝１００ｓ／１００ｓ周期で切り替え、同様に、圧電素子から取り出された電力の電圧変化を電圧計により観測した。発電電圧と温度変化との関係を、図１９に示す。
【０１６７】
さらに、加熱／放冷＝１０ｓ／１５ｓ周期で切り替え、同様に、圧電素子から取り出された電力の電圧変化を電圧計により観測した。発電電圧と温度変化との関係を、図２０に示す。
【符号の説明】
【０１６８】
１      発電システム
２      熱源
３      第１デバイス
４      第２デバイス
５      昇圧器
６      交流／直流変換器
７      バッテリー
１０    自動車
１１    内燃機関
１２    触媒搭載部
１３    エキゾーストパイプ
１４    マフラー
１５    排出パイプ
１６    エンジン
１７    エキゾーストマニホールド
１８    分岐管
１９    集気管
【図１】
2011250675.tif 000003
【図２】
2011250675.tif 000004
【図３】
2011250675.tif 000005
【図４】
2011250675.tif 000006
【図５】
2011250675.tif 000007
【図６】
2011250675.tif 000008
【図７】
2011250675.tif 000009
【図８】
2011250675.tif 000010
【図９】
2011250675.tif 000011
【図１０】
2011250675.tif 000012
【図１１】
2011250675.tif 000013
【図１２】
2011250675.tif 000014
【図１３】
2011250675.tif 000015
【図１４】
2011250675.tif 000016
【図１５】
2011250675.tif 000017
【図１６】
2011250675.tif 000018
【図１７】
2011250675.tif 000019
【図１８】
2011250675.tif 000020
【図１９】
2011250675.tif 000021
【図２０】
2011250675.tif 000022